(57)【要約】【課題】カフと測定装置本体との接続及びカフの装着部位に関する誤りを防止すること。【解決手段】血圧や血圧脈波の測定に用いられるカフにおいて、装着すべき場所に対応した色分けを行う。【選択図】　　図２
2004073402.tif 000002
【特許請求の範囲】
【請求項１】
帯状の本体と、拡縮可能なエアバッグとを有するカフであって、
少なくとも前記本体の一部に、装着すべき部位に対応付けされた着色がなされているか、装着すべき部位に対応付けされた着色がなされた部材を装着するための装着部が設けられていることを特徴とするカフ。
【請求項２】
前記着色が、前記装着すべき部位と以下の様に対応付けされることを特徴とする請求項１記載のカフ。
左足　緑
右足　黒
左腕　黄
右腕　赤
【請求項３】
前記着色が、前記本体の外縁になされていることを特徴とする請求項１又は請求項２記載のカフ。
【請求項４】
請求項１乃至請求項３のいずれか１項に記載のカフを、前記カフのエアバッグに流体を供給する装置と接続するためのエアホースであって、少なくとも一部が前記カフと同色に着色されていることを特徴とするカフ接続用エアホース。
【請求項５】
一端に設けられた前記カフのエアバッグとの接続用コネクタと、他端に設けられた前記装置との接続用コネクタと、これらコネクタを接続するホースとを有し、前記着色が前記エアバッグとの接続用コネクタ、前記装置との接続用コネクタになされていることを特徴とする請求項４記載のカフ接続用エアホース。
【請求項６】
一端に設けられた前記カフのエアバッグとの接続用コネクタと、他端に設けられた前記装置との接続用コネクタと、これらコネクタを接続するホースとを有し、前記着色が前記ホースになされていることを特徴とする請求項４記載のカフ接続用エアホース。
【請求項７】
請求項１乃至請求項３のいずれか１項のカフを用いて測定を行う測定装置。
【請求項８】
さらに、請求項４乃至請求項６のいずれか１項に記載のカフ接続用エアホースを用いることを特徴とする請求項７記載の測定装置。
【請求項９】
帯状の本体と、前記本体内部に配置され、拡縮可能なエアバッグとを有するカフであって、
前記エアバッグと前記本体との間に介在し、前記カフの装着時における前記エアバッグの折れ曲がりを防止する中板とをさらに有することを特徴とするカフ。
【請求項１０】
前記中板が、前記エアバッグよりも狭い幅を有することを特徴とする請求項９記載のカフ。
【請求項１１】
カフに設けられた拡縮可能なエアバッグと、このエアバッグの給気もしくは排気を行うためのエアホースとを接続するためのコネクタであって、
前記エアホースを連結するコネクタ部と、
このコネクタ部と接続される通気口を有し、前記エアバッグに取り付けられるベース部とを有し、
前記ベース部底面の、少なくとも前記通気口の近傍に、所定パターンの突起を有することを特徴とするコネクタ。
【請求項１２】
前記通気口が、前記ベース部の中央から偏倚した位置に設けられることを特徴とする請求項１１記載のコネクタ。
【発明の詳細な説明】
【０００１】
【発明の属する技術分野】
本発明は血圧や血圧脈波の測定に用いられるカフ及び、カフを測定機器に接続するためのエアホースに関する。
本発明は更に、カフとエアホースとを接続するためのコネクタに関する。
【０００２】
【従来の技術】
従来、足関節上腕血圧比（ＡＢＩ：Ａｎｋｌｅ　Ｂｒａｃｈｉａｌ　Ｉｎｄｅｘ、ＡＡＩ、ＡＰＩとも呼ばれる）は閉塞性動脈硬化症における下肢動脈狭窄や閉塞の程度を表す指標として、また脈波伝播速度（ＰＷＶ：Ｐｕｌｓｅ　Ｗａｖｅ　Ｖｅｌｏｃｉｔｙ）は動脈壁の硬さを表す指標として、それぞれ動脈硬化の診断に広く用いられている。
【０００３】
ＡＢＩ、ＰＷＶはそれぞれ単独でも意味を持つ指標であるが、例えば動脈硬化が全身に及んだ場合、ＡＢＩのみの測定では正常範囲の値が得られることがあり、ＡＢＩの値が正常である場合、ＰＷＶによって全体の動脈硬化進行状況を把握することがより正確な診断の助けとなることが分かっている。
【０００４】
そのため、このような多面的な診断を容易にするため、近年では従来別装置であったＡＢＩ測定装置とＰＷＶ測定装置を一体化した測定装置（以下、ＡＢＩ／ＰＷＶ測定装置という）が市場に出回るようになってきている。
【０００５】
【発明が解決しようとする課題】
このようなＡＢＩ／ＰＷＶ測定装置においては、特にＰＷＶの測定に必要な脈波を、専用の脈波センサによって検出する場合と、被検者及び測定者の負荷を軽減するため、ＡＢＩ測定における血圧測定のために被検者に装着したカフを流用して脈波を検出する場合がある。
【０００６】
カフは一般に空気等の気体を送り込むことで膨らみ、排気することによって萎むエアバッグが封入されており、使用時には、エアバッグと装置本体に内蔵されたエアポンプとをゴムホースによって接続するのが一般的である。
【０００７】
ＡＢＩ測定において、カフは四肢に取り付けられるため、ＡＢＩ／ＰＷＶ測定装置において用いられるカフの数は４つであり、本体側にも４つのエアホース用コネクタが設けられる。従って、装置使用時には、エアホースの両端をカフ及び本体に接続する必要があり、合計８回の接続を行わねばならない。
【０００８】
この８回の接続を正しく行わないと、装置側で認識する測定結果と実際の測定結果が異なることになり、正しい値を得ることができない。さらに、接続自体は正しく行われたとしても、カフの装着部位を誤った場合にはやはり正しい測定結果を得ることができない。
【０００９】
このように、カフと本体との接続及びカフの装着はいずれも単純な作業であるが、どこか１つでも誤ると正しい測定ができなくなるのみならず、誤りに気づかなかった場合にはその後の診断にも悪影響を与えかねない。
【００１０】
また、カフは通常被験者の四肢に巻き付けるように装着するため、エアバッグを形成する壁面のうち、装着時に内側となる面にはしわが生じやすい。そのため、図７（ａ）のように膨らむのが理想的であるのに対し、エアが均一に行き渡らずに図７（ｂ）のように膨らんでしまうことがあった。例えば血管の位置でエアバッグがくびれてしまった場合、駆血が十分にできず、測定精度が悪化したり、測定自体ができなくなる可能性もある。
【００１１】
さらに、図８（ａ）の様に膨らんだ状態のエアバッグから排気を行う際、エアホース１２０とのコネクタ１００の、エアバッグ１１０内壁面に対向する面１０１に、エアバッグが吸着してしまい（図８（ｂ））、排気がスムースに行えないことがあった
【００１２】
本発明はこのような従来技術の問題点に鑑みなされたものであり、その目的の１つは、カフと測定装置本体との接続及びカフの装着部位に関する誤りを防止することにある。
また、本発明の別の目的は、エアバッグを均一に膨らませることの可能なカフを提供することにある。
更に本発明の別の目的は、排気をスムースに行うことの可能なカフを提供することにある。
【００１３】
【課題を解決するための手段】
すなわち、本発明の要旨は、帯状の本体と、拡縮可能なエアバッグとを有するカフであって、少なくとも本体の一部に、装着すべき部位に対応付けされた着色がなされているか、装着すべき部位に対応付けされた着色がなされた部材を装着するための装着部が設けられていることを特徴とするカフに存する。
【００１４】
また、本発明の別の要旨は、本発明のカフを、カフのエアバッグに流体を供給する装置と接続するためのエアホースであって、少なくとも一部がカフと同色に着色されていることを特徴とするカフ接続用エアホースに存する。
【００１５】
また、本発明の別の要旨は、本発明のカフ及びカフ接続用エアホースのうち、少なくともカフを用いて測定を行う測定装置に存する。
【００１６】
また、本発明の別の要旨は、帯状の本体と、本体内部に配置され、拡縮可能なエアバッグとを有するカフであって、エアバッグと本体との間に介在し、カフの装着時におけるエアバッグの折れ曲がりを防止する中板とをさらに有することを特徴とするカフに存する。
【００１７】
また、本発明の別の要旨は、カフに設けられた拡縮可能なエアバッグと、このエアバッグの給気もしくは排気を行うためのエアホースとを接続するためのコネクタであって、エアホースを連結するコネクタ部と、このコネクタ部と接続される通気口を有し、エアバッグに取り付けられるベース部とを有し、ベース部底面の、少なくとも通気口の近傍に、所定パターンの突起を有することを特徴とするコネクタに存する。
【００１８】
【発明の実施の形態】
■（第１の実施形態）
以下、図面を参照して、本発明をその好適な実施形態に基づき詳細に説明する。本発明に係るカフ及びカフ接続用エアホースの説明を行う前に、まず、本発明に係るカフ及びカフ接続用エアホースを適用可能な生体情報測定装置について説明する。
【００１９】
（生体情報測定装置の構成）
図１は、本発明に係るカフ及びカフ接続用エアホースを適用可能な生体情報測定装置の一例としてのＡＢＩ／ＰＷＶ測定装置の構成例を示す図である。なお、本発明に係るカフ及びカフ接続用エアホースは、ＡＢＩ、ＰＷＶのいずれかのみを測定する装置に対してはもちろん、カフを用いる他の任意の装置に適用可能であることは言うまでもない。
【００２０】
図において、１０はＡＢＩ／ＰＷＶ測定装置の全体制御を司る演算制御部であり、例えば図示しないＣＰＵ、ＲＯＭ、ＲＡＭ（不揮発性ＲＡＭを含む）、各種インタフェース等を有する汎用コンピュータ装置であり、例えば内蔵もしくは外付けされたハードディスク、光ディスク等の大容量記憶装置やＲＯＭに記憶された制御プログラムをＣＰＵが実行することにより、後述する脈波測定処理、立ち上がり特徴点検出処理及びＰＷＶ測定処理を含めた装置全体の動作を制御、実行する。もちろん、全てをソフトウェアにより処理せず、少なくともその一部をハードウェアによって実現しても構わない。
【００２１】
演算制御部１０は、上肢用駆血制御部２０１及び下肢用駆血制御部２０２から得られる脈波情報から、両腕及び両足首における血圧を測定し、その結果からＲ−ＡＢＩ（右足首最高血圧値と上腕代表血圧値との比）及びＬ−ＡＢＩ（左足首最高血圧値と上腕代表血圧値との比）を求める。
【００２２】
演算制御部１０はさらに、上肢用駆血制御部２０１及び下肢用駆血制御部２０２から供給される脈波信号（必要に応じ、さらに心音検出部２０３から供給される心音信号、心電信号検出部２０４から供給される心電信号及び脈波検出部２０５から供給される頸動脈波及び股動脈波等を選択的に用いても良い）を用いて、各種の脈波伝播速度を算出する。求められる脈波伝播速度としては、Ｒ−ＰＷＶ（上腕−右足首間の脈波伝播速度）、Ｌ−ＰＷＶ（上腕−左足首間の脈波伝播速度）、Ｂ−ＰＷＶ（心臓−上腕間の脈波伝播速度）等がある。
【００２３】
上肢用駆血制御部２０１及び下肢用駆血制御部２０２は、演算制御部１０の制御に従い、図示しないポンプや排気弁等を用いて、ホース２１ｈ、２２ｈを介して接続される各２つのカフ２１Ｒ、Ｌ及び２２Ｒ、Ｌのエアバッグ（２１ａＲ，２１ａＬ，２２ａＲ，２２ａＬ）の加圧／減圧（駆血）制御を行う。上肢用駆血制御部２０１及び下肢用駆血制御部２０２にはまた、ホース２１ｈ、２２ｈを伝播してくる脈波を検出するセンサ、例えば圧力センサ（２１１Ｒ、Ｌ及び２２１Ｒ、Ｌ）が設けられ、エアバッグ及びホースを介して伝播する脈波を電気信号変換し、演算制御部１０へ出力する。なお、図４では上肢用駆血制御部２０１と下肢用駆血制御部２０２とが独立して設けられる構成を示すが、一体化されていても良い。
【００２４】
心音検出部２０３は、心音マイク２３を用いて検出された被験者の心音から、脈波の立ち上がりに対応する心音（例えば（ＩＩ音））を検出し、心音信号として演算制御部１０に通知する。心音信号は主に、Ｂ−ＰＷＶを求める際、心臓における脈波の開始時点を決定するために用いられる。
【００２５】
心電信号検出部２０４は心電電極２４ａ、２４ｂにより検出した心電信号を取得し、演算制御部１０へ供給する。心電信号はより総合的な診断を行う際に必要に応じて取得する。
【００２６】
脈波検出部２０５は、アモルファスセンサ等脈波センサ２５ａ、２５ｂにより検出した脈波、具体的には頸動脈波及び股動脈波を演算制御部１０へ供給する。これらの脈波は、大動脈ＰＷＶを測定する際に用いられる。
【００２７】
なお、定期検診など、ＡＢＩ、ＰＷＶの精度がそれほど要求されない場合には、心音や心電図、大動脈ＰＷＶを求める必要がないため、これらの情報を取得するために必要な心音検出部２０３、心電信号検出部２０４、脈波検出部２０５及びこれらに接続された各種センサ、電極は不要である。
【００２８】
演算制御部１０にはまた、各種の操作ガイダンスや計測結果、診断指標を表示可能な表示部７０、計測結果、診断指標を記録出力可能な記録部７５、計測結果、診断指標を保存する、例えばハードディスクドライブや書き込み可能な光ディスクドライブ、不揮発性半導体メモリ等からなる保存部８０、音声でのガイダンス出力や各種報知音が出力可能な音声発生部８５、キーボード、マウス、ボタン、タッチパネル等からなり、ユーザによる入力、指示を可能にする入力／指示部９０が接続されている。また、これ以外にも、他の機器と通信を行うための通信インタフェースや、リブーバブルメディアを用いる記憶装置等が設けられても良い。
【００２９】
また、これ以外にも、他の機器と通信を行うための有線及び／又は無線通信インタフェースや、リブーバブルメディアを用いる記憶装置等が設けられても良い。また、表示部７０や記録部７５は、別途外部に接続可能な構成としても良い。すなわち、機器本体が内蔵する表示部７０や記録部７５とは別に、より大きな表示領域を有する及び／又は表示色の多い外部表示装置や、より大きな印字領域及び／又は印刷色の多い外部記録装置を接続可能としてもよい。これにより、本体の小型化と出力の多様性を同時に実現することができる。この場合、周知のディスプレイインタフェース、プリンタインタフェースを設ければよい。
【００３０】
（カフの構成）
図２は、本実施形態に係るカフの構成例を示す平面図である。図２には代表的に左足用カフ２２Ｌの構成例を示すが、各部の長さや配置が若干異なる他は、他の部位に装着するカフも同様の構成を有する。
【００３１】
カフ２２Ｌは、カフ本体２２０Ｌと、カフ本体内に取り付けられたエアバッグ２２ａＬと、エアバッグ２２ａＬにエアホースを取り付けるためのコネクタ２２３Ｌと、カフを固定するための面ファスナー２２２Ｌ（の一方の部材）とから構成されている。カフ本体２２０Ｌは、足首や手首など、太さの変化する部位に装着しやすいよう、緩やかに曲がった帯形状を有する。なお、エアバッグ２２ａＬはエアホースを通じて加圧、減圧を行うために適した弾力性及び耐久性を有する素材からなる袋状の部材であれば、任意の素材を使用しうる。また、エアバッグに供給するされる物質は、流体であれば空気以外の気体はもとより、液体であっても構わない。
【００３２】
また、カフ本体２２０Ｌの裏側（被検者の皮膚に接触する側の面）の、装着時に面ファスナー２２２Ｌの少なくとも一部に対応しうる部分は、面ファスナー２２２Ｌの他方の部材が設けられている（又は、面ファスナー２２２Ｌと係合可能な素材で形成されている）。もちろん、カフの固定は面ファスナー２２２Ｌに限らず、ベルト等他の任意の構成によって行うことも可能である。
【００３３】
本発明に係るカフに特徴的なことは、カフをその装着部位に応じて色分けすることである。基本的に装着部位の異なるカフには異なる色分けがなされていればどのような色を用いても、どのような手段で色をカフに与えても構わないが、本実施形態においては、以下の様に色分けを行った。
左足用カフ（２２Ｌ）　緑
右足用カフ（２２Ｒ）　黒
左腕用カフ（２１Ｌ）　黄
右腕用カフ（２１Ｒ）　赤
そして、カフ本体の外縁に対応する色の縁取り２２４Ｌを設けた。図２の左足用カフの縁取り２２４Ｌは緑色である。なお、縁取り２２４Ｌはカフ本体の少なくとも一面に行う。
【００３４】
この色分けは、心電図の取得において、四肢誘導波形の取得で用いる電極に対して行われている色分けと同じである。この電極の色分けは医療関係者には基本的な知識であるため、この色分けと同じ色分けを行うことで、直感的にカフの装着部位を理解することが可能となり、装着部位の誤りを減らすことが可能となる。
【００３５】
なお、カフに色を付ける方法としては縁取り以外にもカフ本体全体もしくは少なくとも装着時に外側となる面全体に色を付ける（図３（ａ））、カフ本体の少なくとも装着時に外側となる面に渡って帯状の色を付ける（図３（ｂ））等、任意の方法を採用できる。
【００３６】
このような色づけは例えば素材自体の色を変えることによっても、塗料によっても、テープ等を接着もしくは縫いつけする等様々な方法で行うことができるが、例えば図４に示すように、カフ本体に中の見える素材でできたポケット２２５Ｌを形成し、この中に色の付いたカード状の部材２２６Ｌを挿入するように構成することも可能である。図４の構成では、カフ本体を着色しないので、汎用品として製造でき、例えば右手用カフと左手用カフのように構成が同一のカフであれば、中の部材２２６Ｌのみを交換することでどちらにも使用できる。なお、図４では例えば図３（ａ）の様な場合を想定しているが、図３（ｂ）の様な場合には、帯状の部材を交換可能な袋をカフ本体に設ければよい。
【００３７】
（カフの接続）
このようなカフを生体情報測定装置に接続する場合、上述のようにエアホースを用いる。具体的な接続方法を図５に示す。すなわち、上肢用駆血制御部２０１に設けられた右腕用カフ接続用コネクタ２０１Ｒと右腕用カフ２１Ｒをエアホース２１ｈの一方で、左腕用カフ接続用コネクタ２０１Ｌと左腕用カフ２１Ｌをエアホース２１ｈの他方でそれぞれ接続する。また、下肢用駆血制御部２０２に設けられた右腕用カフ接続用コネクタ２０２Ｒと右腕用カフ２２Ｒをエアホース２２ｈの一方で、左腕用カフ接続用コネクタ２０２Ｌと左腕用カフ２２Ｌをエアホース２２ｈの他方でそれぞれ接続する。
【００３８】
なお、エアホースの両端には、通常接続用のコネクタが接続されており、実際にはホースの一端のコネクタとカフに取り付けられているコネクタとを接続することによってカフとエアホースが接続され、同様に、装置側のコネクタとエアホースの他端のコネクタとを接続することによってエアホースと装置が接続される。
【００３９】
なお、装置本体側のコネクタ２０１Ｌ、２０１Ｒ、２０２Ｌ及び２０２Ｒについても、カフと同じ色分けを行っておくことが望ましい。また、カフとエアホースとの接続は、上述のコネクタ２２３Ｒを用いて行う。
【００４０】
２対のエアホース２１ｈ、２２ｈは図１及び図５（ａ）に示すように、全て独立したホースであっても、図５（ｂ）に示すような、一部が一体化された構成のホース２１ｈ’、２２ｈ’であっても良い。上肢用エアホース２１ｈを構成する一対のホースと、下肢用２２ｈを構成する一対のホースはそれぞれ長さが等しいため、このように一部を一体化することが可能であり、誤接続防止や、ホースの絡まり及び散乱防止に効果がある。
【００４１】
このように、本実施形態によれば、カフを装着部位毎に異なる色に色分けすることにより、測定装置への接続及び被検者への装着の誤りを防止することが可能となる。
【００４２】
■（第２の実施形態）
上述の実施形態においては、カフのみを色分けする構成であったが、本実施形態はさらにカフと測定装置本体を接続するエアホースも色分けすることを特徴とする。
なお、エアホースの色分け以外の構成については第１の実施形態で説明したとおりであるため、その説明は省略する。なお、本実施形態において、「エアホース」とは、コネクタを含めた全体を、「ホース」とは、コネクタ部分を除いたホース部分のみを意味する。
【００４３】
エアホースの色分けもカフの色分けと同様、接続するカフによって異なる色を有していれば色の選択は任意に行うことが可能であるが、誤接続の防止という観点からはカフと同一の色分けを行うことが好ましい。
【００４４】
すなわち、カフが第１の実施形態で説明したように
左足用カフ（２２Ｌ）　緑
右足用カフ（２２Ｒ）　黒
左腕用カフ（２１Ｌ）　黄
右腕用カフ（２１Ｒ）　赤
と色分けされている場合には、
左足用カフ（２２Ｌ）用エアホース　緑
右足用カフ（２２Ｒ）用エアホース　黒
左腕用カフ（２１Ｌ）用エアホース　黄
右腕用カフ（２１Ｒ）用エアホース　赤
と色分けすることが好ましい。
【００４５】
エアホースの着色方法もまた任意の方法を採用できる。例えば、ホース及び／又はコネクタの素材自体に着色された材料を用いたり、あるいは塗装により着色したり、色テープ等を接着する等を挙げることができる。着色を部分的に行うことも、全体的に行うことも可能であるが、エアホースをどの方向から見ても着色部分が視界に入るように考慮することが好ましい。
【００４６】
ホースを部分的に着色する場合の例を図６に示す。図６（ａ）及び図６（ｂ）はホースの長さ方向に沿って、あるいは所定の角度を持たせた線状の模様により着色する場合の例、図６（ｃ）はホースの両端部分のみを着色する場合の例、図６（ｄ）はリング状の模様により着色する場合の例をそれぞれ示している。また、いくつかの模様を組み合わせて使用することももちろん可能である。
【００４７】
コネクタ部分についても、同様に模様を用いて着色してもよい。また、コネクタ全体を着色し、ホースは着色しないこともできるし、逆にホースのみを着色し、コネクタは着色しないことも可能である。もちろん、コネクタとホースとを異なるパターンで着色しても良い。
【００４８】
誤接続の防止という観点からは、少なくともエアホースの両端部分（接続時に視界に入る部分）には、何らかの着色がなされていることが好ましい。ただし、必ずしもコネクタやホース端部が着色されていなければならないと言うわけではない。
このように、本実施形態によれば、エアホースを色分けすることにより、カフと測定装置本体との接続時の誤りを防止することが可能となる。
【００４９】
■（第３の実施形態）
本実施形態は、エアバッグを均一に膨らませることの可能なカフの構造に関する。なお、本実施形態に係るカフの構造を、本明細書において説明される他の実施形態に記載のカフに適用することも可能である。
【００５０】
図９は、本実施形態に係るカフの構造を示す平面図である。第１の実施形態で説明した図２と同じ構成要素には同じ参照数字を付した。図２と図９との比較から分かるように、本実施形態に係るカフは、エアバッグ２２ａの、装着時に外側を向く面とカフ本体との間に中板３００を設けた点で図２のカフと異なる。
中板３００は装着時にエアバッグが折れ曲がることを防止し、エアホースからのエアがエアバッグ全体に均一に行き渡るようにする。
【００５１】
次に、図９における本実施形態に特徴的な部分の拡大図である図１０を参照して、本実施形態に係るカフについて更に説明する。
図１０において、エアバッグ２２の上面に配置された中板３００は、例えば厚さ１ｍｍ程度のポリプロピレン製であり、エアバッグ２２とエアホースとのコネクタ２２３部分には穴が設けられている。また、中板３００とエアバッグ２２とは特に接着されておらず、エアバッグ２２は加圧（給気）、減圧（排気）に伴い、中板３００とは独立して拡縮することができる。
【００５２】
中板３００の幅（図の高さ方向の幅）は、エアバッグ２２の幅よりも小さい。また、かつエアバッグ２２の、コネクタに近い側（図の上部）が解放されるように配置されている。このような中板３００を用いることにより、均一かつスムースにエアバッグを膨らませることが可能になる。
【００５３】
すなわち、コネクタ２２３から供給される気体（矢印▲１▼）は、中板３００が無く、より自由に膨らむことの可能なエアバッグ上部へまず流れ込む（矢印▲２▼）。そして、エアバッグ２２の左右端部まで達した後、広範囲に渡って下部へ順次流れ込む（矢印▲３▼）。中板３００の上部左右端部３０１が緩やかに弧を描くように切り取られているのは、コネクタ２２３から最も遠く、気圧が伝播しにくい部分への気体流入を容易にするためである。
【００５４】
なお、本実施形態において、仮に中板３００の幅がエアバッグ２２と等しいか大きく、エアバッグ２２の全面に渡って中板３００が存在する場合であっても、エアバッグの折れ曲がりを防止するという効果を得ることは可能である。しかしながら、この場合、矢印▲２▼の気流は発生せず、コネクタ２２３から供給される気体は矢印▲２▼’の方向へ流れ、領域３１０に突き当たった後矢印▲３▼’の方向へ流れてエアバッグを膨らませることになり、全体が膨らむまでの時間が長くなるほか、エアバッグの領域３１０に加わるストレスが大きくなり、耐久性に影響を与える虞がある。
【００５５】
なお、中板３００の素材、厚みは特に限定されず、カフ装着時に大きな抵抗とならず、かつエアバッグの折れ曲がりを防止できれば任意の素材、厚みを採用することが可能である。また、中板３００を予め予想される装着部位に適合するように湾曲させておけば、装着をより簡単にすることもできる。
このように、本実施形態に係るカフによれば、エアバッグを均一に膨らませることが可能になる。
【００５６】
■（第４の実施形態）
本実施形態は、エアバッグの排気を高速に行うことが可能にするカフ、特にカフをエアホースと接続するコネクタの構造に関する。なお、本実施形態に係るコネクタを、本明細書において説明される他の実施形態に記載のカフに適用することも可能である。
【００５７】
図１１は、本実施形態に係るカフ用コネクタの構成例を示す図であり、図１１（ａ）は上面図、（ｂ）は側面図、（ｃ）は底面図である。コネクタ２２３は、エアホースと接続される接続部３１０と、エアバッグ２２に取り付けされる円形のベース３０３とから構成される。
エアバッグ２２とベース３０３の取り付けは、例えばベース３０３の上面縁部をエアバッグ内面とを超音波融着や熱融着もしくは接着剤等によって接着することにより行う。
【００５８】
本実施形態に係るコネクタは、ベース３０３の底面の形状に特徴を有する。すなわち、図１１（ｃ）の底面図に示すように、ベース３０３の底面に、吸着防止用の突起として、通気口３０５近傍から円周へ延びるリブ３０４が複数設けられていることを特徴とする。
【００５９】
リブ３０４はコネクタ２２３のベース３０３と一体形成され、排気時に通気口３０５へ吸い込まれる気体の流れによってエアバッグ２２が通気口３０５に吸着し、排気を妨げることを防止する（図８（ｃ））。
【００６０】
本実施形態に係るコネクタは又、通気口３０５をベース３０３の中心からずらした位置に配置したことを更に特徴とする。発明者等の見当によれば、このように配置することにより、中心に通気口３０５を配置した場合に比べてより吸着防止効果が高く、排気効率を向上することが可能であった。
【００６１】
なお、リブ３０４の形状や数、配置は図１１に示したものに限定されない。例えば、リブ３０４を所々で不連続な形状としたり、略円錐形等の突起を複数設けることも可能であるし、通気口３０５からの距離によってリブや突起の高さを変化させることも可能である。この場合、通気口３０５に近い場所等、吸着力の強い場所では高さを大きくすることが好ましい。
また、エアバッグの吸着が防止できれば必ずしもベース３０３底面全体に渡って突起を設ける必要はなく、通気口３０５の近傍のみに設けても良い。
このように、本実施形態によれば、排気時にエアバッグが通気口に吸着することを防止し、効率よくカフの排気を行うことが可能になる。
【００６２】
【他の実施形態】
なお、上述の実施形態においては、カフとエアホースとが分離した構成のみを説明したが、カフとエアホースとが一体化されている構成であっても構わない。この場合、カフとエアホースの両方に着色しても良いし、いずれか一方のみを着色しても構わない。
【００６３】
また、色分けのみならず、装着部位や接続先を示す言葉（「左足用」「左足カフに接続」等）を印刷等によって設けることも可能である。特に医療関係者以外が使用する可能性のある場合、色分けにより接続自体が正しく行われても、色の意味が分からないと装着箇所を誤る虞があるため、特にカフに具体的な装着部位を明記しておくことには意味がある。
【００６４】
【発明の効果】
以上説明したように、本発明によれば、簡単な構成で、カフと測定装置本体との接続及びカフの装着部位に関する誤りを防止することが可能となる。
また、エアバッグを均一に膨らませることが可能なカフを実現できる。
さらに、排気をスムーズに行うことの可能なカフを実現できる。
【図面の簡単な説明】
【図１】本発明に係るカフ及びカフ接続用エアホースを適用可能な生体情報測定装置の一例としてのＡＢＩ／ＰＷＶ測定装置の構成例を示す図である。
【図２】本発明の実施形態に係るカフの構成例を示す図である。
【図３】本発明の実施形態に係るカフの着色方法を説明する図である。
【図４】本発明の実施形態に係るカフの着色方法を説明する図である。
【図５】カフと測定装置本体との接続を説明する図である。
【図６】本発明の実施形態に係るエアホースの着色方法の例を説明する図である。
【図７】エアバッグの理想的な膨らみ方と、折れ曲がって膨らんだエアバッグの状態を説明する図である。
【図８】排気時のエアバッグの吸着について説明する図である。
【図９】本発明の第３の実施形態に係るカフの構成例を示す図である。
【図１０】図９の要部拡大図である。
【図１１】本発明の第４の実施形態に係るカフ用コネクタの構成例を示す図である。
【図１】
2004073402.tif 000003
【図２】
2004073402.tif 000004
【図３】
2004073402.tif 000005
【図４】
2004073402.tif 000006
【図５】
2004073402.tif 000007
【図６】
2004073402.tif 000008
【図７】
2004073402.tif 000009
【図８】
2004073402.tif 000010
【図９】
2004073402.tif 000011
【図１０】
2004073402.tif 000012
【図１１】
2004073402.tif 000013